(57)【特許請求の範囲】
【請求項１】
紙幣取込み口から取り込んだ紙幣を計数して入出金する紙幣入出金機と、
硬貨を計数して入出金する硬貨入出金機とを有する現金自動取引装置において、
上記紙幣入出金機と上記硬貨入出金機とを接続する硬貨搬送路と、
前記紙幣と硬貨を取り込み可能な紙幣取込部と硬貨取込部とからなる回転体とを設け、
前記回転体を揺動することにより前記紙幣取込部内の前記硬貨を前記紙幣から分離して前記硬貨取込部に集積し、前記硬貨を前記硬貨搬送路に取り込むことを特徴とする現金自動取引装置。
【請求項２】
前記集積の後、前記紙幣を前記回転体から放出してから前記硬貨を前記硬貨搬送路に取り込むことを特徴とする請求項１記載の現金自動取引装置。
【発明の詳細な説明】
【０００１】
【発明の属する技術分野】
本発明は金融機関等の店舗に設置される現金自動取引装置に関する。
【０００２】
【従来の技術】
従来、現金自動取引装置は紙幣取込み口から取り込んだ紙幣を計数して入出金する紙幣入出金機と、硬貨を計数して入出金する硬貨入出金機とを有し、紙幣取込み口から取り込んだ紙幣に硬貨が混在している場合には、硬貨を紙幣から分離させて顧客に返却し、あらためて硬貨を硬貨取込み口に投入するようにさせている。
【０００３】
【発明が解決しようとする課題】
従来の現金自動取引装置にあっては、硬貨を紙幣とともに紙幣取込み口に投入すると、硬貨は紙幣から分離されて顧客に返却されるので、硬貨を紙幣とともに紙幣取込み口に投入して入金したくても、あらためて硬貨を硬貨取込み口に投入しなければならず、入金操作が面倒になるという問題点があった。
【０００４】
本発明は硬貨を紙幣とともにひとつの取込み口で入金できる現金自動取引装置を提供することを目的としている。
【０００５】
【課題を解決するための手段】
上記目的を達成するために本発明の現金自動取引装置においては、紙幣入出金機と硬貨入出金機とを接続する硬貨搬送路を設け、紙幣取込み口から紙幣とともに投入された硬貨を分離し、硬貨入出金機に取り込んで計数し、硬貨入金を顧客の操作により自在とする。
【０００６】
【発明の実施の形態】
本発明の実施の形態について図面を参照しながら説明する。尚、各図面に共通な要素には同一符号を付す。
図２は現金自動取引装置の外観斜視図である。本装置１の表示部２ａに表示に従って操作キ−２ｂを操作して取引内容を選択し、カ−ド挿入口３にカ−ド、又は通帳挿入口４に通帳を挿入して暗証番号をテンキ−２ｃより入力する。取引内容が入金取引であれば、接客口の外部シャッタ５ａ、５ｂが開く。装置１の内部には、破線で示すように、紙幣入出金機６及び硬貨入出金機７が設けてある。
【０００７】
図１は本発明の要部構成を示す外観斜視図である。紙幣取込口６ａに外部シャッタ５ａを有する紙幣入出金機６の紙幣硬貨取込装置９と外部シャッタ５ｂを有する硬貨入出金機７の硬貨繰出部１０との間には、紙幣とともに投入されて分離された硬貨を搬送する硬貨搬送路１１が設けてある。
【０００８】
図３は紙幣硬貨取込装置の外観斜視図であり、図４は図３に示した紙幣硬貨取込装置のＦ−Ｆ断面斜視図である。外部シャッタ５の裏側には円筒状の回転体１２が配置してある。回転体１２の側壁外周部１３には駆動モ−タ１４により回転する歯車１５に噛み合う歯形１３ａが設けてある。回転体１２の下部には硬貨搬送路１１に通ずる硬貨入金路１６、硬貨返却路１７を構成する隔壁１８、１９、２０が設けてある。
【０００９】
回転体１２の周囲下部には上述した硬貨入金路１６、硬貨返却路１７に加えて紙幣繰出し部２１が設けてある。回転体１２には枠１２ａ、１２ｂの中に収納自在なシャッタ１２ｃが設けてあり、後述するシャッタ用モ−タにより開閉される。シャッタ１２ｃには顧客が現金挿入あるいは現金受取りを行う際に外部シャッタ５とともに動作して紙幣取込口２２を開閉する機能と、分離された硬貨２３を硬貨入金路１６、硬貨返却路１７に落下させる際に動作する機能とを有する。
【００１０】
即ち、シャッタ１２ｃは、開状態を２段階に分けることができ、状態１では範囲Ｇまで開いて紙幣取込口２２を形成し、状態２では範囲Ｈまで開いて硬貨排出口２４を形成する。紙幣取込部２５は紙幣取込口２２を一端に有し、分離板２６を他端に有して隔壁２７ａ、２７ｂで囲まれている。分離板２６は、硬貨２３を硬貨取込部２８へ通過させるスロット２６ａを有し、紙幣２９と硬貨２３とを分離する。また、隔壁２７ａ、２７ｂには静電センサ３０を構成する電極３０ａ、３０ｂが設けてあり、硬貨２３等の金属が電極３０ａ、３０ｂ間に存在すると、静電容量が変化する。
【００１１】
また、隔壁２７ｂ側には紙幣２９に振動を与える振動部３１が設けてある。振動部３１は紙幣取込部２５の紙幣２９を隔壁２７ａに押圧する振動板３２と、振動板３２に往復運動を与えるカム機構３３とを有する。振動板３２は通常スプリング３４により紙幣２９を挟持する方向へ付勢されており、後述するモ−タにより駆動されるカム３５が矢印Ｉ方向へ回転してカム径が急に変化すると、支軸３６を中心に回動して紙幣２９に振動を与える。硬貨検出センサ３７は回転により硬貨排出口２４に集積された硬貨２３を検出する。
【００１２】
紙幣繰出し部２１の構成は、モ−タ３８が回転すると、ビルプレッシャ３９がスプリング４０により矢印Ｊ方向へ移動して紙幣２９をピッカロ−ラ４１に押圧する。
【００１３】
図５は分離硬貨排出状態の説明図であり、回転体１２が回転してシャッタ１２ｃが範囲Ｈまで開いて硬貨排出口２４を形成し、硬貨入金路への硬貨排出時を示している。
【００１４】
図６は硬貨入出金機の概略構成を示す模式図である。外部シャッタ５ｂの下部には硬貨受け皿部４２が設けてあり、入金時には入金硬貨の取り込みを行い、出金時には出金硬貨の払い出しを行う。硬貨繰出部１０は硬貨受け皿部４２から一括投入された硬貨を一枚毎に分離して搬送路４３に繰り出す。搬送路４３には、硬貨の金種別を鑑別して計数する硬貨鑑別部４４と、鑑別計数された硬貨を選別して計数する選別部４５とが設けてある。選別部４５の下部には選別して計数された硬貨を一時保留する一時保留部４６が設けてあり、顧客の確認に応じて硬貨を金種スタッカ４７に収納し、取り消しに応じて硬貨を図示せぬ硬貨返却路に放出する。
【００１５】
図７は制御回路を示すブロック図である。制御部５０はマイクロプロセッサ５０ａ、メモリ５０ｂからなる。制御部５０には駆動モ−タ５１、シャッタ用モ−タ５２、振動用モ−タ５３、静電検出センサ５４、硬貨検出センサ５５、操作キ−２ｂ、表示部２ａなどが接続されてある。駆動モ−タ５１は回転体を回転させ、シャッタ用モ−タ５１はシャッタ１２ｃを開閉し、振動用モ−タ５３はカム３５を回転させる。
【００１６】
図８は実施の形態を説明するフロ−チャ−トであり、制御部５０が各ステップを処理していく。図９は紙幣硬貨の分離動作を説明する状態図（１）であり、図１０は紙幣硬貨の分離動作を説明する状態図（２）である。
【００１７】
つぎに動作について図８に従って説明する。入金取引が開始されると、図９（Ａ）、（Ｂ）に示すように、ステップＳ1 でシャッタ用モ−タ５２を駆動し、外部シャッタ５ａと連動させて紙幣取込位置に停止している回転体１２のシャッタ１２ａを、図４に示したように、範囲Ｇまで開いて紙幣取込口２２を形成させる。ステップＳ2 で紙幣２９（硬貨２３）を取り込み、ステップＳ3 で、図９（Ｃ）に示すように、外部シャッタ５ａ、シャッタ１２ａを閉じる。
【００１８】
ステップＳ4 で静電センサ５４を介して金属物の反応が有るか否かをチェックし、金属物の反応が有りならばステップＳ13に分岐し、否ならばステップＳ5 に分岐する。ステップＳ14で駆動モ−タ５１及び振動用モ−タ５３を所定時間駆動し、図１０（Ｄ）、（Ｅ）に示すように回転体１２を矢印方向に揺らすとともに、振動用モ−タ５３を駆動して振動板３２を振動させ、ステップＳ4 に戻る。
【００１９】
ステップＳ5 で駆動モ−タ５１を駆動して回転体１２を回動させ、図１０（Ｆ）に示すように、紙幣取込部２５を図４に示した紙幣繰出し部２１に位置ずける。ステップＳ6 でシャッタ用モ−タ５２を駆動し、回転体１２のシャッタ１２ａを、図４に示したように、範囲Ｇまで開き、ステップＳ7 で、紙幣２９を紙幣繰出し部２１に放出する。
【００２０】
ステップＳ8 で硬貨検出センサ５５を介して硬貨２３の有無を検知し、硬貨が有ればステップＳ9 に分岐し、硬貨が無ければステップＳ11に分岐する。ステップＳ9 で駆動モ−タ５１を駆動して回転体１２を回動させ、図５に示した硬貨入金路１６の位置に停止させ、ステップＳ10でシャッタ用モ−タ５２を駆動し、図４に示したように、シャッタ１２ａを範囲Ｇまで開く。ステップＳ11でシャッタ１２ａを閉じ、ステップＳ12で回転体１２を紙幣取込位置に戻す。
【００２１】
ところで、硬貨入金路１６に放出された硬貨２３は、図１に示した硬貨搬送路１１を通じて硬貨入出金機７の硬貨繰出部１０に投入される。硬貨繰出部１０は投入された硬貨２３を一枚毎に分離して搬送路４３に繰り出す。繰り出された硬貨２３は、硬貨鑑別部４４で硬貨の金種別を鑑別されて計数され、選別部４５で選別されて計数され、一時保留部４６に一時保留される。そして、図７に示したように制御部５０によって表示部２ａに入金か否かの表示が行われる。操作キ−２ｂの「確認キ−」が押下されると、硬貨２３を金種スタッカ４７に収納し、「取り消しキ−」が押下されると硬貨２３を図示せぬ硬貨返却路に放出する。
【００２２】
本実施の形態では、紙幣入出金機６の紙幣硬貨取込装置９で紙幣から分離された硬貨を硬貨入出金機７の硬貨繰出部１０に搬送する硬貨搬送路１１を設けたが、図１０に示すように、紙幣入出金機６の紙幣硬貨取込装置９と並行に払い出しの硬貨を受け取る受け皿５６を設け、さらに、硬貨入出金機７の搬送路４３から受け皿５６に払い出しの硬貨を搬送する払出硬貨搬送路５７と、払出硬貨搬送路５７に駆動部付きベルト５８とを設けて、出金時には、硬貨繰出部１０から搬送路４３に繰り出された払い出しの硬貨を硬貨入出金機７から受け皿５６に取り込み、顧客に支払うようにしてもよい。この場合には紙幣入出金機６の紙幣取込口を６ａ通じて紙幣、硬貨の入出金ができる。
【００２３】
【発明の効果】
本発明は、以上説明したように構成されているので以下に記載される効果を奏する。
紙幣入出金機と硬貨入出金機とを接続する硬貨搬送路を設け、紙幣取込み口から紙幣とともに投入された硬貨を分離し、硬貨入出金機に取り込んで計数し、硬貨入金を顧客の操作により自在としたので、硬貨を紙幣とともにひとつの取込み口で入金できる。
【００２４】
また、紙幣入出金機は、紙幣硬貨取込装置と並行に払い出しの硬貨を受け取る受け皿を設け、出金時には、払い出しの硬貨を硬貨入出金機から紙幣硬貨取込装置に給送し、紙幣取込み口から顧客に支払うようにしたことにより、取込み口を共用でき、紙幣、硬貨の誤挿入の防止、受取り忘れの防止が期待できる。
【００２５】
また、取込み口を共用できることにより、装置のコスト削減になる。
【図面の簡単な説明】
【図１】本発明の要部構成を示す外観斜視図である。
【図２】現金自動取引装置の外観斜視図である。
【図３】紙幣硬貨取込装置の外観斜視図である。
【図４】図３のＦ−Ｆ断面斜視図である。
【図５】分離硬貨排出状態の説明図である。
【図６】硬貨入出金機の概略構成を示す模式図である。
【図７】制御回路を示すブロック図である。
【図８】実施の形態を説明するフロ−チャ−トである。
【図９】紙幣硬貨の分離動作を説明する状態図（１）である。
【図１０】紙幣硬貨の分離動作を説明する状態図（２）である。
【図１１】他の実施の形態を示す紙幣硬貨取込口の外観斜視図である。
【符号の説明】
１  現金自動取引装置
６  紙幣入出金機
７  硬貨入出金機
９  紙幣硬貨取込装置
１０  硬貨繰出部
１１  硬貨搬送路
１２  回転体
１６  硬貨入金路
２１  紙幣繰出し部
２５  紙幣取込部
２８  硬貨取込部
３０  静電センサ
３１  振動部
５６  受け皿
５７  払出硬貨搬送路
５８  駆動部付きベルト
【図１】
0003824711.tif 000002
【図２】
0003824711.tif 000003
【図３】
0003824711.tif 000004
【図４】
0003824711.tif 000005
【図５】
0003824711.tif 000006
【図６】
0003824711.tif 000007
【図７】
0003824711.tif 000008
【図８】
0003824711.tif 000009
【図９】
0003824711.tif 000010
【図１０】
0003824711.tif 000011
【図１１】
0003824711.tif 000012